(57)【要約】【課題】  被記録媒体の切断時に、被記録媒体のコート層が剥離することを防止する画像記録装置を提供する。【解決手段】  被記録媒体を記録部から外部へ搬送する際の案内部である排紙部材に、被記録媒体の切断時に、排紙部材上にある被記録媒体をプラテンよりも高くする高さ切換え部材を有する。【選択図】  図１
2007160553.tif 000002
【特許請求の範囲】
【請求項１】
ロール状の被記録媒体を搬送する搬送手段と、前記搬送手段により搬送される前記被記録媒体に対して画像を記録するための記録ヘッドと、前記記録ヘッドに対向して、前記被記録媒体との隙間を保持するためのプラテンと、画像記録後の前記被記録媒体を外部に案内するための排紙部材と、前記搬送手段により搬送される前記被記録媒体を切断する切断手段と、を有する画像記録装置において、
前記排紙部材に、前記被記録媒体の切断時に、前記排紙部材上にある前記被記録媒体を前記プラテンよりも高くする高さ切換え部材を有することを特徴とする画像記録装置。
【請求項２】
前記高さ切換え部材は、前記切断手段が移動することにより高さが切換わることを特徴とする請求項１に記載の画像記録装置。
【発明の詳細な説明】
【技術分野】
【０００１】
本発明は、ロール状の被記録媒体をシート状に切断するための切断手段を具備したプリンタ、複写機、ファクシミリ等の画像記録装置に関する。
【背景技術】
【０００２】
従来、この種の画像記録装置としては、ロール状の被記録媒体を収容し、記録ヘッドの走査（往復動作）により画像データを記録して、画像データを記録した被記録媒体をページ毎に切断するものがある。画像データが入力されると、被記録媒体をプラテンまで送り、その上部を記録ヘッドが往復動作を行う。記録ヘッドの走査（往復動作）により１走査分の画像を記録し、搬送ローラにより被記録媒体を間欠的に所定のピッチで送り、その後にまた記録ヘッドを走査させ１走査分の画像を記録し、これを繰り返してページ全体に画像を記録する。被記録媒体の記録済み部は、装置の外部に設けている排紙部材に案内され、切断手段によりページ毎に切り離される。ページ毎に切断された被記録媒体は、排紙部材の下方に設けられているスタック部材に収納される。
【０００３】
上記一連の動作における切断後の被記録媒体について、図４を参照して説明する。切断後の被記録媒体１０２は、切断手段の刃により、切断面が押されるため、切断後の被記録媒体１０２の表面はダレ形状１０２ａ、裏面はバリ形状１０２ｂのように、被記録媒体の厚み方向に変形してしまい、被記録媒体の表面のコート層が剥離してしまったり、裏面のバリ形状１０２ｂが剥れ、切断粉となってしまったりする。そこで、ダレ形状１０２ａ及びバリ形状１０２ｂのような、切断面の変形を抑えるために、次に挙げる構成が開示されている。
【０００４】
従来の画像記録装置には、切断手段の刃先が、先端側の第１の刃先部と、先端側の刃先部に続いて形成され、先端側の刃先部より小さい刃先角の第２の刃先部とを有しており、第２の刃先部と被記録媒体の接触摩擦力を抑えることにより、被記録媒体の切断面の変形を抑えているものがある（例えば、特許文献１参照。）。
【特許文献１】特開平７−２４６５９０号公報
【発明の開示】
【発明が解決しようとする課題】
【０００５】
しかしながら、従来技術（例えば、特許文献１参照。）においては、刃先と被記録媒体の接触摩擦力を抑えることにより、被記録媒体の切断面の変形を抑えているが、被記録媒体を図５の被記録媒体１０１のような状態で切断すると、切断位置付近において、被記録媒体１０１の表面であるコート層の面が引張られた状態になるため、コート層に引張応力が生じた状態で切断され、被記録媒体１０１のコート層が剥離するという課題がある。
【０００６】
そこで、本発明は上記課題を解決するため、被記録媒体の切断時に、被記録媒体のコート層が剥離することを防止する画像記録装置を提供することを目的とする。
【課題を解決するための手段】
【０００７】
上記課題を解決するため、以下の手段を有する。
【０００８】
（請求項１）
ロール状の被記録媒体を搬送する搬送手段と、前記搬送手段により搬送される前記被記録媒体に対して画像を記録するための記録ヘッドと、前記記録ヘッドに対向して、前記被記録媒体との隙間を保持するためのプラテンと、画像記録後の前記被記録媒体を外部に案内するための排紙部材と、前記搬送手段により搬送される前記被記録媒体を切断する切断手段と、を有する画像記録装置において、
前記排紙部材に、前記被記録媒体の切断時、前記排紙部材上にある前記被記録媒体を前記プラテンよりも高くする高さ切換え部材を有する。
【０００９】
これにより、被記録媒体の切断時に、切断位置付近において、被記録媒体のコート層の面が引張られた状態で切断されることがなく、コート層に引張応力が生じなくなるため、被記録媒体のコート層が剥離せず、正常な切断面を得ることができる。
【００１０】
（請求項２）
前記高さ切換え部材は、前記切断手段が移動することにより高さが切換わる。
【００１１】
この場合、被記録媒体の切断時にのみ、排紙部材の高さがプラテンより高くなるため、被記録媒体の搬送時に、排紙部材がプラテンより高くなることがなく、被記録媒体を確実に搬送することができる。
【発明の効果】
【００１２】
本発明の画像記録装置は、
（１） 排紙部材に、被記録媒体の切断時に、排紙部材上にある被記録媒体をプラテンよりも高くする高さ切換え部材を有しているため、被記録媒体の切断時に、切断位置付近において、被記録媒体のコート層の面が引張られた状態で切断されることがなく、コート層に引張応力が生じなくなるため、被記録媒体のコート層が剥離せず、正常な切断面を得ることができる。
【００１３】
（２） 高さ切換え部材は、切断手段が移動することにより高さが切換わるため、被記録媒体の切断時にのみ、排紙部材の高さがプラテンより高くなり、被記録媒体の搬送時に、排紙部材がプラテンより高くなることがなく、被記録媒体を確実に搬送することができる。
【発明を実施するための最良の形態】
【００１４】
次に、本発明の詳細を実施例の記述に従って説明する。
【実施例１】
【００１５】
次に、本発明の実施の形態について図面を参照して説明する。
【００１６】
図１に示すプリンタは、シリアルタイプのインクジェットプリンタであり、被記録媒体が給紙され、スタック部材に排紙されるまでの一連の動作について説明する。まず、被記録媒体１０１が搬送ローラ３により給紙され、記録手段としての記録ヘッド１と被記録媒体１０１とのギャップを保証し、かつプリンタ本体のシャーシを兼用するプラテン４の上部を、記録ヘッド１がレール２の軸線に沿って往復動作を行う。記録ヘッド１の１回のスキャンの往動又は復動により画像を記録すると、矢印Ａの方向に搬送ローラ３が被記録媒体１０１を間欠的に所定のピッチで送り、その後にまた記録ヘッド１を移動させて画像の記録を行う。これを繰り返してページ全体に画像を記録する。被記録媒体の記録済み部１０１ａは、排紙部材７に案内されてプリンタの外部に排紙される。
【００１７】
画像記録が終了すると、搬送ローラ３により所定の切断位置まで被記録媒体１０１を搬送する。切断動作の信号により、モータ３０が駆動され、丸刃ユニット１０が左側から矢印Ｂの方向に移動され、切断後の位置１０ａまで右側に移動する。この際、カットライン１０３に沿って切断が行われ、搬送方向（矢印Ａの方向）の下流側にある記録済み部１０１ａを切り離す。なお、カットライン１０３は固定刃６の刃先に一致する。シート状に切断された記録済み部１０１ａは、排紙部材７よりも下方に配置されているスタック部材８に排紙される。なお、プラテン４の通紙面と、固定刃６の上面の関係は、固定刃６の上面の方がやや低く、固定刃６の上面と、排紙部材７の上面の関係は、排紙部材７の上面の方がやや低い。したがって、これらは被記録媒体１０１が搬送される方向に対して、漸次低位に配置されている。
【００１８】
次に、図１、図２及び図３を参照して、排紙部材７について説明する。排紙部材７は、被記録媒体１０１の搬送方向（矢印Ａの方向）のカットライン１０３よりも下流側に配置され、被記録媒体１０１をプリンタの記録部から外部へ搬送する際の案内となっている。また、不図示のロール状の被記録媒体を覆うカバーにもなっている。排紙部材７には、搬送方向（矢印Ａの方向）上流側に高さ切換え部材１１が配置されている。高さ切換え部材１１は、被記録媒体１０１への画像記録中は、丸刃ユニット１０の待機位置にある高さ切換え部材の引き込め部１２を丸刃ユニット１０が押さえ込むことにより、印字中位置１１ａに配置され、排紙部材７の被記録媒体１０１の通紙面と同じ、もしくは、やや低くなる。被記録媒体の記録済み部１０１ａを切断する際には、丸刃ユニット１０が左側から矢印Ｂの方向に移動されるが、その際、高さ切換え部材の引き込め部１２は丸刃ユニット１０から開放されるため、不図示の部材により保持され、矢印Ｄの方向に付勢している圧縮バネ１３により、高さ切換え部材１１は、切断中位置１１ｂに配置される。
【００１９】
次に、図１、図２及び図３を参照して、被記録媒体１０１の切断時の作用について説明する。被記録媒体１０１は、ページ全体に画像を記録されると、搬送ローラ３で所定の切断位置まで搬送される。丸刃ユニット１０が左側から矢印Bの方向に移動され、固定刃６と丸刃ホルダー２０によりカットライン１０３の位置で切断される。この際、被記録媒体１０１の表面にコート層の面があり、切断位置付近において、コート層が引張られた状態で切断されると、コート層が剥離する。
【００２０】
本実施形態の場合、被記録媒体１０１の切断時、高さ切換え部材１１は、切断中位置１１ｂに配置されるため、被記録媒体１０１は図３のような状態となる。そのため、カットライン１０３の位置付近において、被記録媒体１０１のコート層の面は圧縮された状態となり、コート層に引張応力が生じなくなるため、切断後の被記録媒体１０２のコート層は剥離せず、正常な切断面を得ることができる。また、被記録媒体１０１の切断終了後は、丸刃ユニット１０が待機位置に戻り、丸刃ユニット１０の待機位置にある高さ切換え部材の引き込め部１２を押さえ込むことにより、高さ切換え部材１１は、矢印Ｃの方向に移動し、印字中位置１１ａに配置され、排紙部材７の被記録媒体１０１の通紙面と同じ、もしくは、やや低くなる。そのため、被記録媒体１０１の搬送時に、被記録媒体１０１がプラテン４よりも高い部分を搬送されることがなく、プラテン４上での被記録媒体１０１の浮きはない。
【００２１】
なお、本実施形態では、高さ切換え部材１１は、高さ切換え部材の引き込め部１２を丸刃ユニット１０が押さえ込むことにより、印字中位置１１ａに配置され、高さ切換え部材の引き込め部１２が丸刃ユニット１０から開放されると、圧縮バネ１３により切断位置１１ｂに配置される構成としているが、高さ切換え部材１１の印字中位置１１ａと切断位置１１ｂの切換えは、ソレノイドを使用しても良い。また、モータとカムを使用しても、同等の効果が得られる。
【００２２】
以上説明したように、本実施形態の場合、排紙部材７に、被記録媒体１０１の切断時に、排紙部材７上にある被記録媒体１０１をプラテン４よりも高くする高さ切換え部材１１を有しているため、カットライン１０３の位置付近において、被記録媒体１０１のコート層に引張応力が生じなくなるため、被記録媒体１０１のコート層が剥離せず、正常な切断面を得ることができる。また、丸刃ユニット１０が移動することにより、高さ切換え部材１１の高さが切換わるため、被記録媒体１０１の切断時にのみ、排紙部材７の高さがプラテン４より高くなり、被記録媒体１０１の搬送時には、高さ切換え部材１１の高さは排紙部材７の被記録媒体１０１の通紙面と同じ、もしくは、やや低くなるため、プラテン４上での被記録媒体１０１の浮きはなく、被記録媒体１０１を確実に搬送することができる。
【図面の簡単な説明】
【００２３】
【図１】本発明をインクジェットプリンタに適用した場合の主要部斜視図である。
【図２】印字中の高さ切換え部材を示す斜視図である。
【図３】切断中の高さ切換え部材を示す斜視図である。
【図４】切断後の被記録媒体を示す断面図である。
【図５】従来の切断状態を示す断面図である。
【符号の説明】
【００２４】
１  記録ヘッド
２  レール
３  搬送ローラ
４  プラテン
６  固定刃
７  排紙部材
８  スタック部材
１０  丸刃ユニット
１０ａ  切断した後の位置
１１  高さ切換え部材
１１ａ  印字中位置
１１ｂ  切断中位置
１２  引き込め部
１３  圧縮バネ
２０  丸刃ホルダー
３０  モータ
１０１  被記録媒体
１０１ａ  記録済み部
１０２  切断後の被記録媒体
１０２ａ  ダレ形状
１０２ｂ  バリ形状
１０３  カットライン
Ａ  搬送方向
Ｂ  切断方向
Ｃ  高さ切換え部材の押し込み方向
Ｄ  高さ切換え部材の突き出し方向
【図１】
2007160553.tif 000003
【図２】
2007160553.tif 000004
【図３】
2007160553.tif 000005
【図４】
2007160553.tif 000006
【図５】
2007160553.tif 000007